(57)【要約】【課題】炭素繊維強化炭素複合材製のワーク支持具であって、炉内で歯車などの円筒状のワークを安定的に支持することができると共に、個々のワークを個別に搬送することができる。【解決手段】熱処理炉内ワーク支持具１０は、炭素繊維強化炭素複合材製の板材からなり、板厚方向を熱処理炉内の支持面に沿わせて立設される第１支持板１と、炭素繊維強化炭素複合材製の板材からなり、第１支持板１と係合することで第１支持板１と交差する方向に立設される第２支持板２とを備え、第１支持板１及び第２支持板２は、ワークＷの中央開口部Ｗ１内で立設する立設部１Ａ，２Ａを備えると共に、立設部１Ａ，２Ａの底部で左右に延びてワークＷの底面を支持する一対の足部１Ｂ，２Ｂを備え、第１支持板１は、立設部１Ａの上部中央に取っ手口１Ｃ１が開口した取っ手部１Ｃを備える。【選択図】図２
2016003823.tif 000002
【特許請求の範囲】
【請求項１】
熱処理炉内で被熱処理対象のワークを支持する支持具であって、
炭素繊維強化炭素複合材製の板材からなり、板厚方向を熱処理炉内の支持面に沿わせて立設される第１支持板と、
炭素繊維強化炭素複合材製の板材からなり、前記第１支持板と係合することで前記第１支持板と交差する方向に立設される第２支持板とを備え、
前記第１支持板及び第２支持板は、ワークの中央開口部内で立設する立設部を備えると共に、該立設部の底部で左右に延びてワークの底面を支持する一対の足部を備え、
前記第１支持板は、前記立設部の上部中央に取っ手口が開口した取っ手部を備えることを特徴とする熱処理炉内ワーク支持具。
【請求項２】
前記第１支持板及び前記第２支持板は対面状態で一対設けられることを特徴とする請求項１記載の熱処理炉内ワーク支持具。
【請求項３】
前記第１支持板と前記第２支持板は、一方が備える上向き開口の係合溝と他方が備える下向き開口の係合溝で互いに係合しており、
前記第１支持板は、前記取っ手部の左右外側に張り出した前記立設部に一対の前記係合溝が設けられ、
前記第２支持板は、前記立設部の中央付近に一対の前記係合溝が設けられることを特徴とする請求項２記載の熱処理炉内ワーク支持具。
【請求項４】
前記熱処理炉内ワーク支持具は多段に重ねて配置することができ、
前記第１支持板は、前記立設部の中央に下向きに開放される収納部を備え、該収納部に下段の前記第１支持板における前記取っ手部が収納されることを特徴とする請求項２又は３記載の熱処理炉内ワーク支持具。
【請求項５】
一対の前記第１支持板の間にはスペーサ部材が配置され、該スペーサ部材の上端部又は下端部には前記立設部の上端又は下端から突出する突出部が設けられていることを特徴とする請求項２〜４にいずれか１項記載の熱処理炉内ワーク支持具。
【発明の詳細な説明】
【技術分野】
【０００１】
本発明は、熱処理を行う炉内で熱処理対象のワークを支持する支持具に関するものである。
【背景技術】
【０００２】
金属やセラミックなどの被処理物（以下、ワークという）を熱処理する高温炉内では、ワークの出し入れや炉内での支持を円滑に行うためにワークを支持するトレーが用いられている。この熱処理炉用トレーは、一般には金属トレーであるが、金属トレーは、高温強度が不十分で高温変形が生じ易く耐久性に問題があり、重量が重く熱容量が大きいため炉の消費電力が大きくなるなどの問題がある。
【０００３】
このような金属トレーの欠点を解消するものとして、高温変形が生じ難い炭素繊維強化炭素複合材（Ｃ／Ｃ材）製の熱処理炉用トレーが各種提案されている。下記特許文献１に記載された従来の熱処理炉用トレーは、炭素繊維強化炭素複合材からなる複数の板材を格子状に組み合わせて構成されるトレー本体と、トレー本体を外囲する方形状の炭素繊維強化炭素複合材からなる外枠を備えており、炉内での作業を円滑に行えるように、トレーの外周面に突起部が存在しないようにしている。
【先行技術文献】
【特許文献】
【０００４】
【特許文献１】特開２０１４−１２８７２号公報
【発明の概要】
【発明が解決しようとする課題】
【０００５】
前述した従来の熱処理炉用トレーでは、トレー上に平面的に複数並べたワークに対して熱処理が施される。このため、一つのトレー上のワークは一括処理にならざるを得ず、個々のワークを個別に炉内に入れたり炉内から搬出することができない。また、トレーを炉内から外に出した後は、ワークの温度低下を待たないとワークを個別に搬送することができない問題があった。更に、歯車などの円筒状のワークは、トレー上では安定的に支持されないので、トレー毎搬送する際にワークが動いて他のワークに衝突するなどの不具合があった。
【０００６】
本発明は、このような問題に対処することを課題の一例とするものである。すなわち、高温変形が生じ難く炉内での耐久性があり、軽量で熱容量が小さいため炉の消費電力を省力化できる炭素繊維強化炭素複合材を用い、炉内で歯車などの円筒状のワークを安定的に支持することができると共に、個々のワークを個別に搬送することができる熱処理炉内ワーク支持具を提供すること、等が本発明の目的である。
【課題を解決するための手段】
【０００７】
このような目的を達成するために、本発明による熱処理炉内ワーク支持具は、以下の構成を具備するものである。
【０００８】
熱処理炉内で被熱処理対象のワークを支持する支持具であって、炭素繊維強化炭素複合材製の板材からなり、板厚方向を熱処理炉内の支持面に沿わせて立設される第１支持板と、炭素繊維強化炭素複合材製の板材からなり、前記第１支持板と係合することで前記第１支持板と交差する方向に立設される第２支持板とを備え、前記第１支持板及び第２支持板は、ワークの中央開口部内で立設する立設部を備えると共に、該立設部の底部で左右に延びてワークの底面を支持する一対の足部を備え、前記第１支持板は、前記立設部の上部中央に取っ手口が開口した取っ手部を備えることを特徴とする熱処理炉内ワーク支持具。
【発明の効果】
【０００９】
このような特徴を有する本発明の熱処理炉内ワーク支持具は、炭素繊維強化炭素複合材製の板材によって構成されることにより、高温強度が十分で高温変形が生じ難く高い耐久性を有し、また、軽量で小さい熱容量を有することで炉の消費電力を抑えることが可能になる。
【００１０】
また、本発明の熱処理炉内ワーク支持具は、第１支持板及び第２支持板の立設部を歯車のような円筒状ワークの中央開口部内に立設させて、これらの立設部の底部で左右に延びる足部がワークの底面を支持し、第１支持板における立設部の上部中央に設けた取っ手部によって足部上に支持されたワークを個別に持ち上げることができるので、炉内で歯車などの円筒状のワークを安定的に支持することができると共に、個々のワークを簡易に個別搬送することができる。
【図面の簡単な説明】
【００１１】
【図１】本発明の一実施形態に係る熱処理炉内ワーク支持具の構成部材である第１支持板を示した説明図（（ａ）が正面図であり、（ｂ）が側面図）である。
【図２】本発明の一実施形態に係る熱処理炉内ワーク支持具の構成部材である第２支持板を示した説明図（（ａ）が正面図であり、（ｂ）が側面図）である。
【図３】本発明の実施形態に係る熱処理炉内ワーク支持具を示した説明図（（ａ）が正面図、（ｂ）が側面図、（ｃ）が平面図）である。
【図４】本発明の実施形態に係る熱処理炉内ワーク支持具の使用形態の例を示した説明図（（ａ）が正面図、（ｂ）が側面図）である。
【発明を実施するための形態】
【００１２】
以下、本発明の実施形態を図面を参照して説明する。図１は、本発明の一実施形態に係る熱処理炉内ワーク支持具の構成部材である第１支持板を示しており、図２は、本発明の一実施形態に係る熱処理炉内ワーク支持具の構成部材である第２支持板を示している。以下の説明では、一対の対面する第１支持板に対して一対の対面する第２支持板を係合させる例を示すが、第１支持板及び第２支持板の数は一枚でも良いし、３枚以上であってもよい。
【００１３】
図１及び図２の（ａ）が正面図であり、（ｂ）が側面図である。第１支持板１と第２支持板２は、共に炭素繊維強化炭素複合材製の板材である。第１支持板１は、立設部１Ａを備えると共に、立設部１Ａの底部で左右に延びる一対の足部１Ｂを備える。また、第１支持板１は、立設部１Ａの上部中央に取っ手口１Ｃ１が開口した取っ手部１Ｃを備える。
【００１４】
更に、図示の例では、第１支持板１は、取っ手部１Ｃの左右外側に張り出した立設部１Ａに一対の係合溝１Ｄを備えており、立設部１Ａの中央に下向きに開放される収納部１Ｅを備えている。
【００１５】
これに対して、第２支持板２は、第１支持板１と同様に、立設部２Ａを備えると共に、立設部２Ａの底部で左右に延びる一対の足部２Ｂを備える。また、図示の例では、立設部２Ａの中央付近に一対の係合溝２Ｃが設けられている。
【００１６】
第１支持板１における係合溝１Ｄと第２支持板２の係合溝２Ｃは、これらを互いに係合させることで第１支持板１と第２支持板２を立設させた状態で係合させるものであり、図示の例では、第１支持板１における係合溝１Ｄが上向き開口で第２支持板２における係合溝２Ｃが下向き開口になっている。これによって、第１支持板１の取っ手部１Ｃを持ってワークを支持した第１支持板１と第２支持板２を持ち上げることができる。
【００１７】
図３は、第１支持板と第２支持板とを係合させた本発明の実施形態に係る熱処理炉内ワーク支持具を示した説明図である。（ａ）が正面図、（ｂ）が側面図、（ｃ）が平面図を示している。熱処理炉内ワーク支持具１０（以下、ワーク支持具１０という）は、一対の第１支持板１が板厚方向を熱処理炉内の支持面Ｓに沿わせて対面状態で立設されており、一対の第２支持板２が第１支持板１と係合することで第１支持板１と交差する方向に対面状態で立設されている。
【００１８】
第１支持板１と第２支持板２は、円筒状のワークＷの中央開口部Ｗ１内で立設部１Ａ，２Ａが交差（直交）する方向に立設されており、第１支持板１において立設部１Ａの底部で左右に延びる一対の足部１Ｂと、第２支持板２において立設部２Ａの底部で左右に延びる一対の足部２Ｂが互いに交差（直交）する方向に延びており、これら足部１Ｂ，２Ｂ上にワークＷの底面が支持される。
【００１９】
一対の第１支持板１の間にはスペーサ部材３が配置されている。スペーサ部材３は対面する一対の第１支持板１の間を一定に保持するものであるが、このスペーサ部材３に加えて、一対の第１支持板１或いは第１支持板１と第２支持板２とを固定する図示省略した固定手段が別途設けられる。
【００２０】
スペーサ部材３は、その上端部３Ａが第１支持板１の立設部１Ａの上端から凹むように配置され、その下端部に突出部３Ｂが立設部１Ａの下端から突出して配備されている。このように、スペーサ部材３を配備することで、ワーク支持具１０を多段に重ねて配置する際に、スペーサ部材３の下端部における突出部３Ｂが下段のワーク支持具１０の立設部１Ａ間に係合して重ねられた配置を安定化させることができる。なお、最下段に位置するワーク支持具１０におけるスペーサ部材３の下端部における突出部３Ｂは、熱処理炉内の支持面Ｓの凹部に係合して、重ねられた多段のワーク支持具１０を安定的に固定する。ここでは、スペーサ部材３の下端部に突出部３Ｂを設ける例を示したが、スペーサ部材３の上端部に立設部１Ａの上端から突出する突出部を設け、その突出部を上段に重ねるワーク支持具１０における一対の第１支持板１間に係合させるようにしてもよい。また、立設部１Ａの上端から突出する突出部を一対設けてその間に上段の第２支持板２を係合するようにしてもよい。
【００２１】
このような特徴を有するワーク支持具１０は、足部１Ｂ，２Ｂの上にワークＷの底面を載せて、取っ手部１Ｃを搬送手段で把持することで、ワークＷの単体を簡易に炉内に搬送することができ、また熱処理後も簡易に炉内からワークＷの単体を搬出することができる。また、足部１Ｂ，２Ｂの上に載せられたワークＷは炉内で安定した状態で支持されることになる。
【００２２】
図４は、本発明の実施形態に係る熱処理炉内ワーク支持具の使用形態の例を示した説明図である。（ａ）が正面図であり、（ｂ）が側面図を示している。図示のように、ワーク支持具１０は、複数個重ねた状態で使用することができる。この際、上段のワーク支持具１０における収納部１Ｅ内に下段のワーク支持具１０における取っ手部１Ｃが収容されることになる。収納部１Ｅはこのように取っ手部１Ｃが収容可能な大きさに形成されている。また、前述したように、スペーサ部材３の下端部における突出部３Ｂが下段のワーク支持具１０における立設部１Ａ間に係合されており、最下段のワーク支持具１０におけるスペーサ部材３の下端部における突出部３Ｂは炉内の支持面Ｓに設けた凹部に係合されている。
【００２３】
このようにワーク支持具１０を重ねることで、炉内でワークＷを積層して配置することができ、また、ワークＷの搬入・搬出時にはワークＷを個別に支持したワーク支持具１０によって、ワークＷを簡易に個別搬送させることができる。
【００２４】
以上説明したように、本発明の実施形態に係るワーク支持具１０は、炭素繊維強化炭素複合材製の板材によって構成されることにより、高温強度が十分で高温変形が生じ難く高い耐久性を有し、また、軽量で熱容量が小さいことで炉の消費電力を抑えることが可能になる。
【００２５】
また、ワーク支持具１０は、一対の第１支持板１及び一対の第２支持板２の立設部１Ａ，２Ａを歯車のような円筒状ワークＷの中央開口部Ｗ１内に立設させて、これらの立設部１Ａ，２Ａの底部で左右に延びる８本の足部１Ｂ，２ＢがワークＷの底面を支持し、第１支持板１における立設部１Ａの上部中央に設けた取っ手部１Ｃによって足部１Ｂ，２Ｂ上に支持されたワークＷを個別に持ち上げることができるので、炉内で歯車などの円筒状のワークＷを安定的に支持することができると共に、個々のワークＷを簡易に個別搬送することができる。
【符号の説明】
【００２６】
１：第１支持板，２：第２支持板，３：スペーサ部材，
１０：熱処理炉内ワーク支持具，
１Ａ，２Ａ：立設部，１Ｂ，２Ｂ：足部，１Ｃ：取っ手部，１Ｃ１：取っ手口，
１Ｄ，２Ｃ：係合溝，１Ｅ：収納部，
Ｗ：ワーク，Ｗ１：中央開口部，Ｓ：支持面
【図１】
2016003823.tif 000003
【図２】
2016003823.tif 000004
【図３】
2016003823.tif 000005
【図４】
2016003823.tif 000006